(57)【特許請求の範囲】
【請求項１】
１本の第一光ファイバで局装置から伝送された波長多重光信号を分波した下り光信号を複数の第二光ファイバへ波長毎に結合し、複数の前記第二光ファイバからの上り光信号を合波した波長多重光信号を前記第一光ファイバで前記局装置に結合する波長分割多重型光伝送システムにおいて、前記第二光ファイバの末端に
固定波長光源を１つ搭載する端末装置を新たに接続する端末装置接続方法であって、
前記第二光ファイバの末端に光信号判定装置を接続する判定装置接続手順と、
前記第二光ファイバの末端から出力する未知波長の下り光信号を前記光信号判定装置で点検し、判明した前記下り光信号の波長を対応表に照らし合わせて対応する上り光信号の波長を判定する、又は前記下り光信号に含まれる上り光信号の波長情報に基づいて上り光信号の波長を判定する点検手順と、
前記点検手順で判定された波長の上り光信号を出力する固定波長光源を搭載する端末装置を前記第二光ファイバに接続する接続手順と、
を備える端末装置接続方法。
【請求項２】
１本の第一光ファイバで局装置から伝送された波長多重光信号を分波した下り光信号を複数の第二光ファイバへ波長毎に結合し、複数の前記第二光ファイバからの上り光信号を合波した波長多重光信号を前記第一光ファイバで前記局装置に結合する波長分割多重型光伝送システムにおいて、前記第二光ファイバの末端に
固定波長光源を１つ搭載可能な端末装置を新たに接続する端末装置接続方法であって、
前記第二光ファイバの末端に光信号判定装置を接続する判定装置接続手順と、
前記第二光ファイバの末端から出力する未知波長の下り光信号を前記光信号判定装置で点検し、判明した前記下り光信号の波長を対応表に照らし合わせて対応する上り光信号の波長を判定する、又は前記下り光信号に含まれる上り光信号の波長情報に基づいて上り光信号の波長を判定する点検手順と、
新たに接続する端末装置に、前記点検手順で判定された波長の上り光信号を出力する固定波長光源を組み込み、前記固定波長光源を組み込んだ端末装置を前記第二光ファイバに接続する接続手順と、
を備える端末装置接続方法。
【請求項３】
１本の第一光ファイバで局装置から伝送された波長多重光信号を分波した下り光信号を複数の第二光ファイバへ波長毎に結合し、複数の前記第二光ファイバからの上り光信号を合波した波長多重光信号を前記第一光ファイバで前記局装置に結合する波長分割多重型光伝送システムにおいて、前記第二光ファイバの末端に接続される端末装置であって、
前記第二光ファイバに結合された下り光信号を受光する受光回路と、
前記第二光ファイバの末端から出力する未知波長の下り光信号を点検し、判明した前記下り光信号の波長を対応表に照らし合わせて対応する上り光信号の波長を判定する、又は前記下り光信号に含まれる上り光信号の波長情報に基づいて上り光信号の波長を判定する光信号判定装置と、
前記光信号判定装置が判定した波長の上り光信号を出力する固定波長光源が１つ組み込まれる光源挿入部を有し、前記局装置に向けて前記固定波長光源からの上り光信号を出力できる光出力回路と、
を備える端末装置。
【請求項４】
１本の第一光ファイバで局装置から伝送された波長多重光信号を分波した下り光信号を複数の第二光ファイバへ波長毎に結合し、複数の前記第二光ファイバからの上り光信号を合波した波長多重光信号を前記第一光ファイバで前記局装置に結合する波長分割多重型光伝送システムにおいて、前記第二光ファイバの末端に
新たに接続する端末装置に固定波長光源を搭載する固定波長光源搭載方法であって、
請求項３に記載の端末装置を前記第二光ファイバに接続する接続手順と、
前記第二光ファイバに結合された下り光信号を前記光信号判定装置で点検し、対応する上り光信号の波長を判定する点検手順と、
前記点検手順で判定された波長の上り光信号を前記局装置に向けて出力する１つの固定波長光源を光源挿入部に組み込む組み込み手順と、
を備える固定波長光源選択方法。
【発明の詳細な説明】
【技術分野】
【０００１】
本発明は、要求される上り光信号の波長を判定する光信号判定装置、波長分割多重型光伝送システムに端末装置を新たに接続する端末装置接続方法、その端末装置、及びその端末装置に組み込む固定波長光源を選択する固定波長光源選択方法に関する。
【背景技術】
【０００２】
局装置からの波長多重光信号を分波した下り光信号を複数の端末装置に結合し、前記端末装置からの上り光信号を合波して波長多重光信号を前記局装置に結合する波長分割多重型光伝送システム、例えば、ＷＤＭ−ＰＯＮ（Ｗａｖｅｌｅｎｇｔｈ  Ｄｉｖｉｓｉｏｎ  Ｍｕｌｔｉｐｌｅｘｉｎｇ−Ｐａｓｓｉｖｅ  Ｏｐｔｉｃａｌ  Ｎｅｔｗｏｒｋ）が提案されている。ＷＤＭ−ＰＯＮでは、加入者の増大に応じて端末装置を増やしていくことができる。このＷＤＭ−ＰＯＮに接続される端末装置としては、下り光信号に含まれる情報から上り光信号の波長を判断し、搭載した可変波長光源の光をその波長になるように調整する端末装置が提案されている（例えば、特許文献１を参照。）。可変波長光源は、例えば可変波長レーザダイオードが知られている。この可変波長レーザダイオードを搭載した端末装置を波長分割多重型光伝送システムに接続する場合、作業者は、まず、多重型光伝送システムに端末装置を接続し、上り光信号が局装置に届くように可変波長レーザダイオードの波長を調整することになる。
【先行技術文献】
【特許文献】
【０００３】
【特許文献１】特開２００６−１６６４４６号公報
【発明の概要】
【発明が解決しようとする課題】
【０００４】
しかし、可変波長レーザダイオードは高価であり、これを搭載する端末装置を加入者の増大に応じて波長分割多重型光伝送システムに接続していくことはコストの面で課題がある。
【０００５】
一方、廉価な固定波長光源を搭載した端末装置を波長分割多重型光伝送システムに接続する場合、次のような課題が想定されている。波長分割多重型光伝送システムの光ファイバに端末装置を接続する作業現場おいては、要求される上り光信号の波長が不明である。このため作業者にとって、いずれの波長の光信号を出力する端末装置を接続するかという選定ができない。
【０００６】
そこで、本発明は、固定波長光源を搭載する端末装置を波長分割多重型光伝送システムに接続可能とする光信号判定装置、端末装置接続方法、その端末装置、及びその端末装置の固定波長光源を選択する固定波長光源選択方法を提供することを目的とする。
【課題を解決するための手段】
【０００７】
上記目的を達成するために、本発明は、光信号判定装置で下り光信号を点検して要求される上り光信号の波長を判定し、その波長の光を出力する端末装置を波長分割多重型光伝送システムに接続することとした。
【０００８】
具体的には、本発明に係る光信号判定装置は、局装置からの下り光信号の波長を測定する波長測定器と、下り光信号と前記局装置への上り光信号との波長に関する対応表と、前記波長測定器が測定した下り光信号の波長を前記対応表に照らし合わせ、対応する上り光信号の波長を判定する判定回路と、を備える。
【０００９】
光信号判定装置は、予め定められた下り光信号の波長に対応する上り光信号の波長が記載された対応表を備えている。端末装置を接続しようとする波長分割多重型光伝送システムの光ファイバに光信号判定装置を接続すれば、光信号判定装置はその光ファイバから出力される下り光信号の波長を検出し、対応表に照らし合わせ、その光ファイバに指定された上り光信号の波長を判定することができる。この結果、作業者は、その波長の光を出力する固定波長光源を搭載する端末装置を選択し、波長分割多重型光伝送システムに接続することができる。
【００１０】
従って、本発明は、固定波長光源を搭載する端末装置を波長分割多重型光伝送システムに接続可能とする光信号判定装置を提供することができる。
【００１１】
本発明に係る光信号判定装置は、局装置からの下り光信号に含まれる、前記局装置への上り光信号の波長に関する情報を読み取る情報受信回路と、前記情報受信回路が読み取った前記情報に基づいて上り光信号の波長を判定する判定回路と、を備える。
【００１２】
局装置が上り光信号の波長に関する情報を下り光信号に含ませて出力している場合、光信号判定装置はその情報を読み取ることができる。端末装置を接続しようとする波長分割多重型光伝送システムの光ファイバに光信号判定装置を接続すれば、光信号判定装置はその光ファイバから出力される下り光信号に含まれる情報を読み出し、その光ファイバに指定された上り光信号の波長を判定することができる。この結果、作業者は、その波長の光を出力する固定波長光源を搭載する端末装置を選択し、波長分割多重型光伝送システムに接続することができる。
【００１３】
従って、本発明は、固定波長光源を搭載する端末装置を波長分割多重型光伝送システムに接続可能とする光信号判定装置を提供することができる。
【００１４】
本発明に係る光信号判定装置は、前記判定回路が判定した上り光信号の波長に関する表示をする表示回路をさらに備えることが好ましい。作業者は表示回路に表示された波長に関する情報を容易に確認することができる。
【００１５】
本発明に係る端末装置接続方法は、局装置からの波長多重光信号を分波した下り光信号を複数の端末装置に結合し、前記端末装置からの上り光信号を合波して波長多重光信号を前記局装置に結合する波長分割多重型光伝送システムにおいて固定波長光源を搭載する端末装置を新たに接続する端末装置接続方法であって、前記光信号判定装置で下り光信号を点検し、対応する上り光信号の波長を判定する点検手順と、前記点検手順で判定された波長の上り光信号を出力する端末装置を前記局装置につながる光ファイバに接続する接続手順と、を備える。
【００１６】
作業者は、まず、端末装置を接続しようとする波長分割多重型光伝送システムの光ファイバに光信号判定装置を接続する。光信号判定装置はその光ファイバから出力される下り光信号の波長からその光ファイバに指定された上り光信号の波長を判定する。作業者は、信号判定装置の判定結果を見て、判定された波長の光を出力する固定波長光源を搭載する端末装置を選択し、波長分割多重型光伝送システムに接続することができる。
【００１７】
従って、本発明は、固定波長光源を搭載する端末装置を波長分割多重型光伝送システムに接続可能とする端末装置接続方法を提供することができる。
【００１８】
本発明に係る端末装置接続方法は、局装置からの波長多重光信号を分波した下り光信号を複数の端末装置に結合し、前記端末装置からの上り光信号を合波して波長多重光信号を前記局装置に結合する波長分割多重型光伝送システムにおいて固定波長光源を搭載する端末装置を新たに接続する端末装置接続方法であって、前記光信号判定装置で下り光信号を点検し、対応する上り光信号の波長を判定する点検手順と、新たに接続する端末装置に、前記点検手順で判定された波長の上り光信号を出力する固定波長光源を組み込み、前記固定波長光源を組み込んだ端末装置を前記局装置につながる光ファイバに接続する接続手順と、を備える。
【００１９】
局装置が上り光信号の波長に関する情報を下り光信号に含ませて出力している場合、光信号判定装置はその情報を読み取ることができる。作業者は、まず、端末装置を接続しようとする波長分割多重型光伝送システムの光ファイバに光信号判定装置を接続する。光信号判定装置はその光ファイバから出力される下り光信号に含まれる情報を読み出し、その光ファイバに指定された上り光信号の波長を判定する。作業者は、信号判定装置の判定結果を見て、判定された波長の光を出力する固定波長光源を端末装置に組み込む。これにより作業者は、要求される波長の光を出力する端末装置を波長分割多重型光伝送システムの光ファイバに接続することができる。
【００２０】
従って、本発明は、固定波長光源を搭載する端末装置を波長分割多重型光伝送システムに接続可能とする端末装置接続方法を提供することができる。
【００２１】
本発明に係る端末装置は、局装置からの下り光信号を受光する受光回路と、前記光信号判定装置と、前記光信号判定装置が判定した波長の上り光信号を出力する固定波長光源が組み込まれる光源挿入部を有し、前記局装置に向けて前記固定波長光源からの上り光信号を出力できる光出力回路と、を備える。
【００２２】
本端末装置は、光信号判定装置を内蔵し、さらに固定波長光源を入れ変えることができる。本端末装置を波長分割多重型光伝送システムに接続する際には、前記局装置につながる光ファイバに接続する接続手順と、前記光信号判定装置で局装置からの下り光信号を点検し、対応する上り光信号の波長を判定する点検手順と、前記点検手順で判定された波長の上り光信号を前記局装置に向けて出力する固定波長光源を光源挿入部に組み込む組み込み手順と、を行う。このため、作業者は、本端末装置を波長分割多重型光伝送システムの光ファイバに接続し、光信号判定装置が表示する上り光信号の波長に関する情報と一致する固定波長光源を光源挿入部に挿入するだけで、端末装置の波長分割多重型光伝送システムへの接続を完了させることができる。
【００２３】
従って、本発明は、波長分割多重型光伝送システムに接続可能な端末装置及びその端末装置の固定波長光源を選択する固定波長光源選択方法を提供することができる。
【発明の効果】
【００２４】
本発明は、固定波長光源を搭載する端末装置を波長分割多重型光伝送システムに接続可能とする光信号判定装置、端末装置接続方法、その端末装置、及びその端末装置の固定波長光源を選択する固定波長光源選択方法を提供することができる。
【図面の簡単な説明】
【００２５】
【図１】波長分割多重型光伝送システムを説明する構成図である。
【図２】本発明に係る光信号判定装置を説明するブロック図である。
【図３】本発明に係る光信号判定装置を説明するブロック図である。
【図４】本発明に係る端末装置を説明するブロック図である。
【図５】本発明に係る端末装置を説明するブロック図である。
【発明を実施するための形態】
【００２６】
以下、具体的に実施形態を示して本発明を詳細に説明するが、本願の発明は以下の記載に限定して解釈されない。なお、本明細書及び図面において符号が同じ構成要素は、相互に同一のものを示すものとする。
【００２７】
（第１実施形態）
図１は、本実施形態の光信号判定装置が必要となる波長分割多重型光伝送システムを説明する構成図である。波長分割多重型光伝送システムは、局装置１１と複合型合分波器１２との間を光ファイバ１５で接続し、複合型合分波器１２と端末装置１３−ｎ（ｎは自然数）との間を光ファイバ１６−ｎで接続する。波長分割多重型光伝送システムは、局装置１１からの波長多重光信号Ｓｄ−０を分波した下り光信号Ｓｄ−ｎを複数の端末装置１３−ｎに結合し、端末装置１３−ｎからの上り光信号Ｓｕ−ｎを合波して波長多重光信号Ｓｕ−０を局装置１１に結合する。
【００２８】
図１では、局装置１１は１つだけであるが、複合型合分波器を用いて複数個接続されていてもよい。端末装置１３−ｎは固定波長光源を搭載する。複合型合分波器１２は波長多重光信号Ｓｄ−０を下り光信号Ｓｄ−ｎの波長毎に分波する。また、複合型合分波器１２は各端末装置１３−ｎからの上り光信号Ｓｕ−ｎを合波し、波長多重光信号Ｓｕ−０として局装置１１に結合する。複合型合分波器１２は、例えば、アレイ導波路グレーティング（Ａｒｒａｙ  Ｗａｖｅｇｕｉｄｅ  Ｇｒａｔｉｎｇｓ：ＡＷＧ）である。
【００２９】
図１の波長分割多重型光伝送システムでは、下り光信号Ｓｄ−ｎと上り光信号Ｓｕ−ｎとが衝突しないように、また、下り光信号Ｓｄ−ｎ同士、上り光信号Ｓｕ−ｎ同士が衝突しないように光ファイバ１６−ｎ毎に下り光信号Ｓｄ−ｎと上り光信号Ｓｕ−ｎの波長が定められている。
【００３０】
図１の光ファイバ１６−ｘ（１≦ｘ≦ｎ）には、まだ端末装置が接続されていない。ここに、新たに端末装置を接続する場合で説明する。この光ファイバ１６−ｘに定められている波長の上り光信号を出力する端末装置を接続しなければならない。このため、作業者は、まず光ファイバ１６−ｘが要求する上り光信号の波長を知ることから始める。
【００３１】
そこで、作業者は端末装置を接続する前に光信号判定装置を接続し、定められた上り光信号の波長を調べる端末装置接続方法を行う。この端末装置接続方法は、光信号判定装置で下り光信号Ｓｄ−ｘを点検し、対応する上り光信号Ｓｕ−ｘの波長を判定する点検手順と、前記点検手順で判定された波長の上り光信号Ｓｕ−ｘを出力する端末装置を光ファイバ１６−ｘに接続する接続手順と、を備える。
【００３２】
図２は、ここで使用される光信号判定装置２０を説明するブロック図である。光信号判定装置２０は、局装置１１からの下り光信号Ｓｄ−ｘの波長を測定する波長測定器２１と、下り光信号Ｓｄ−ｎと前記局装置への上り光信号Ｓｕ−ｎとの波長に関する対応表２４と、波長測定器２１が測定した下り光信号Ｓｄ−ｘの波長を対応表２４に照らし合わせ、対応する上り光信Ｓｕ−ｘの波長を判定する判定回路２２と、を備える。また、光信号判定装置２０は、判定回路２２が判定した上り光信号Ｓｕ−ｘの波長に関する表示をする表示回路２６をさらに備える。
【００３３】
対応表２４は図１の波長分割多重型光伝送システムで予め定められている下り光信号Ｓｄ−ｎの波長と上り光信号Ｓｕ−ｎとの対応表である。対応表２４には波長に対応した記号番号が記載されていてもよい。
【００３４】
判定回路２２は、波長測定器２１が測定した下り光信号Ｓｄ−ｘの波長を対応表２４に問い合わせる。対応表２４に記号番号が記載される場合は、判定回路２２は、下り光信号Ｓｄ−ｘの波長に対応する記号番号を対応表２４に問い合わせる。そして、判定回路２２は、対応表２４から下り光信号Ｓｄ−ｘに対応する上り光信号Ｓｕ−ｘの波長を通知されると、その波長を表示回路２６に数値で表示させる。対応表２４からの通知が記号番号の場合、判定回路２２は、その記号番号を表示回路２６に表示させる。あるいは、判定回路２２が複数のランプを有しており、上り光信号Ｓｕ−ｘの波長を示すランプを点灯させてもよい。
【００３５】
作業者は、点検手順で光信号判定装置２０を光ファイバ１６−ｘに接続し、上り光信号の波長を調べる。そして作業者は、接続手順で表示回路２６に表示された波長、記号番号又は点灯したランプを見て、正しい端末装置、すなわち上り光信号Ｓｕ−ｘを出力する端末装置１３−ｘを光ファイバ１６−ｘに接続できる。
【００３６】
端末装置１３−ｘは固定波長光源を入れ換え可能な構造であってもよい。作業者は光信号判定装置２０で定められた上り光信号の波長を調べた後、これから接続しようとする端末装置１３−ｘに指定された波長の固定波長光源を組み込み、端末装置１３−ｘを光ファイバ１６−ｘに接続する端末装置接続方法を行う。この端末装置接続方法は、光信号判定装置２０で下り光信号Ｓｄ−ｘを点検し、対応する上り光信号Ｓｕ−ｘの波長を判定する点検手順と、新たに接続する端末装置１３−ｘに、前記点検手順で判定された波長の上り光信号Ｓｕ−ｘを出力する固定波長光源を組み込み、固定波長光源を組み込んだ端末装置１３−ｘを光ファイバ１６−ｘに接続する接続手順と、を備える。
【００３７】
固定波長光源を入れ換え可能な端末装置の場合、作業者は複数の端末装置を接続現場へ持っていく必要が無くなる。作業者は１つの端末装置と複数の小さな固定波長光源を作業現場にもって行き、作業現場で光信号判定装置が表示する波長の固定波長光源を端末装置に組み込めばよいので作業効率が向上する。
【００３８】
この場合、端末装置１３−ｘが光信号判定装置２０を含んでいてもよい。図４は、端末装置１３−ｘを説明するブロック図である。この端末装置１３−ｘは、局装置１１からの下り光信号を受光する受光回路４２と、光信号判定装置２０と、光信号判定装置２０が判定した波長の上り光信号を出力する固定波長光源が組み込まれる光源挿入部４６を有し、局装置１１に上り光信号Ｓｕ−ｎを出力する光出力回路４３と、を備える。
【００３９】
端末装置１３−ｘが光信号判定装置２０を含んでいる場合、作業者は、端末装置１３−ｘを光ファイバ１６−ｘに接続する接続手順と、光信号判定装置２０で下り光信号Ｓｄ−ｘを点検し、対応する上り光信号Ｓｕ−ｘの波長を判定する点検手順と、点検手順で判定された波長の上り光信号Ｓｕ−ｘを局装置１１に向けて出力する固定波長光源を光源挿入部４６に組み込む組み込み手順と、を備える固定波長光源選択方法を行う。
【００４０】
作業者は、端末装置１３−ｘを光ファイバ１６−ｘに接続し、端末装置１３−ｘの表示回路２６に表示された波長、記号番号又は点灯したランプに対応する固定波長光源を光源挿入部４６に挿入することで接続作業を完了できる。
【００４１】
ここで、固定波長光源が波長や記号番号に対応した立体形状の識別部を持っており、光源挿入部４６が固定波長光源の識別部と嵌合する嵌合部を持っていてもよい。この嵌合部は下り光信号の波長に応じて形状を変化させる。作業者が間違った波長の固定波長光源を光源挿入部４６に挿入しようとしても嵌合部と識別部とが一致しないため固定波長光源を光源挿入部４６に挿入できない。固定波長光源がこのような識別部を持ち、光源挿入部４６がこのような嵌合部を持つことで作業者の作業ミスを防ぐことができる。
【００４２】
（第２実施形態）
第２実施形態の波長分割多重型光伝送システムの構成は図１の波長分割多重型光伝送システムと同じであるが、局装置１１は各下り光信号Ｓｄ−ｎに上り光信号Ｓｕ−ｎの波長の情報を含ませている点が異なる。例えば、局装置１１は、フレームの一部に上り光信号Ｓｕ−ｎの波長の情報を載せて下り光信号Ｓｄ−ｎを出力する。波長に関する情報は、波長そのものでもよいし、波長に対応した記号番号でもよい。
【００４３】
この場合、作業者は、図２で説明した光信号判定装置２０と異なる光信号判定装置３０を使用して第１実施形態で説明した端末装置接続方法を行う。図３は、ここで使用される光信号判定装置３０を説明するブロック図である。作業者が光ファイバ１６−ｘに新たに端末装置を接続する場合で説明する。光信号判定装置３０は、局装置１１からの下り光信号Ｓｄ−ｘに含まれる、局装置１１への上り光信号Ｓｕ−ｘの波長に関する情報を読み取る情報受信回路３１と、情報受信回路３１が読み取った情報に基づいて上り光信号Ｓｕ−ｘの波長を判定する判定回路３２と、を備える。光信号判定装置３０は、表示回路２６を備えていてもよい。
【００４４】
情報受信回路３１は、下り光信号Ｓｄ−ｎを受信し、その中に含まれる波長に関する情報を読み出し、判定回路３２へ出力する。判定回路３２は波長に関する情報から上り光信号Ｓｕ−ｎの波長を判定し、表示回路２６へその波長を表示するように出力する。表示回路２６は数値を表示してもよいし、波長に対応した記号番号を表示してもよい。また、表示回路２６は波長に対応したランプを点灯してもよい。
【００４５】
作業者は、この表示回路２６に表示された波長又は記号番号を見て、正しい端末装置、すなわち上り光信号Ｓｕ−ｘを出力する端末装置１３−ｘを接続できる。
【００４６】
また、第１実施形態で説明したように、端末装置１３−ｘが固定波長光源を入れ換え可能な構造であってもよい。この場合、端末装置１３−ｘが光信号判定装置３０を含んでいてもよい。図５は、端末装置１３−ｘを説明するブロック図である。局装置１１からの下り光信号を受光する受光回路４２と、光信号判定装置３０と、光信号判定装置３０が判定した波長の上り光信号を出力する固定波長光源が組み込まれる光源挿入部４６を有し、局装置１１に上り光信号Ｓｕ−ｎを出力する光出力回路４３と、を備える。
【００４７】
端末装置１３−ｘが光信号判定装置３０を含んでいる場合、作業者は、端末装置１３−ｘを光ファイバ１６−ｘに接続する接続手順と、光信号判定装置３０で下り光信号Ｓｄ−ｘを点検し、対応する上り光信号Ｓｕ−ｘの波長を判定する点検手順と、点検手順で判定された波長の上り光信号Ｓｕ−ｘを局装置１１に向けて出力する固定波長光源を光源挿入部４６に組み込む組み込み手順と、を備える固定波長光源選択方法を行う。
【００４８】
作業者は、端末装置１３−ｘを光ファイバ１６−ｘに接続し、端末装置１３−ｘの表示回路２６に表示された波長、記号番号又は点灯したランプに対応する固定波長光源を光源挿入部４６に挿入することで接続作業を完了できる。
【００４９】
また、図４で説明したように、固定波長光源が波長や記号番号に対応した立体形状の識別部を持っており、光源挿入部４６が下り光信号の波長に応じて形状を変化させる嵌合部を持っていてもよい。作業者の作業ミスを防ぐことができる。
【００５０】
以上、実施形態１と実施形態２を説明したが、本端末装置接続方法及び固定波長光源選択方法の点検手順には、波長分割多重型光伝送システムのタイプによって２つの方法がある。
【００５１】
すなわち、波長分割多重型光伝送システムが上り光信号の波長についての情報を下り光信号に含めていないタイプの場合、点検手順は、作業者が光信号判定装置２０を光ファイバ１６−ｘに接続した後、光信号判定装置２０の波長測定器２１が局装置１１からの下り光信号Ｓｄ−ｘの波長を測定し、判定回路２２が下り光信号Ｓｄ−ｘの波長を対応表２４に照らし合わせ、対応する上り光信号Ｓｕ−ｘの波長を判定する、という手順になる。
【００５２】
一方、波長分割多重型光伝送システムが上り光信号の波長についての情報を下り光信号に含めているタイプの場合、点検手順は、作業者が光信号判定装置３０を光ファイバ１６−ｘに接続した後、光信号判定装置３０の情報受信回路３１が下り光信号Ｓｄ−ｘに含まれる上り光信号Ｓｕ−ｘの波長に関する情報を読み取り、判定回路３２が前記情報に基づいて上り光信号Ｓｕ−ｘの波長を判定する、という手順になる。
【符号の説明】
【００５３】
１１：局装置
１２：複合型合分波器
１３−１、１３−２、・・・、１３−ｘ、・・・、１３−ｎ：端末装置
１５：光ファイバ
１６−１、１６−２、・・・、１６−ｘ、・・・、１６−ｎ：光ファイバ
Ｓｄ−０：波長多重光信号
Ｓｕ−０：波長多重光信号
Ｓｄ−１、Ｓｄ−２、・・・、Ｓｄ−ｘ、・・・、Ｓｄ−ｎ：下り光信号
Ｓｕ−１、Ｓｕ−２、・・・、Ｓｕ−ｘ、・・・、Ｓｕ−ｎ：上り光信号
２０：光信号判定装置
２１：波長測定器
２２：判定回路
２４：対応表
２６：表示回路
３０：光信号判定装置
３１：情報受信回路
３２：判定回路
４１：フィルタ
４２：受光回路
４３：光出力回路
４６：光源挿入部
【図１】
0005511233.tif 000002
【図２】
0005511233.tif 000003
【図３】
0005511233.tif 000004
【図４】
0005511233.tif 000005
【図５】
0005511233.tif 000006